(57)【特許請求の範囲】
【請求項１】
上部カバーと下部カバーとの片側面が固着されその固着部を中心にして上部カバーと下部カバーが扉状に開き、携帯用電子機器を収納するケースにおいて、
前記上部カバーは、上部カバーを開かずにキー操作が行なえる柔軟性を持ち透明で保温力のある窓部と、プリン夕一用紙の排出部とを有し、前記ケースの透明の窓部以外の部分は防水性のある素材繊維の布の間に保温性のある中綿を入れた積層構造の材質により構成したことを特徴とする携帯用電子機器のソフトケース。
【請求項２】
上部カバーと下部カバーとの片側面が固着されその固着部を中心にして上部カバーと下部カバーが扉状に開き、携帯用電子機器を収納するケースにおいて、
前記上部カバーと下部カバーの片側面の固着部以外の側面はファスナーを使用したの開閉機構を有し、
前記上部カバーの上面には、ソフトケースに収容される携帯用電子機器のキーボード等の操作部と表示部とをカバーする大きさに設定されており、しかも上部カバーを開かずにキー操作が行なえる柔軟性を持ち透明な保温力のある窓部と、プリン夕一用紙の排出部とを有し、前記ケースの透明の窓部以外の部分は防水性のある素材繊維の布の間に保温性のある中綿を入れた積層構造の材質により構成したことを特徴とする携帯用電子機器のソフトケース。
【請求項３】
上部カバーと下部カバーとの片側面が固着されその固着部を中心にして上部カバーと下部カバーが扉状に開き、携帯用電子機器を収納するケースにおいて、
前記上部カバーと下部カバーの片側面の固着部以外の側面はファスナーを使用したの開閉機構を有し、
前記上部カバーの上面には、ソフトケースに収容される携帯用電子機器のキーボード等の操作部と表示部とをカバーする大きさに設定されており、しかも上部カバーを開かずにキー操作が行なえる柔軟性を持ち透明な保温力のある窓部と、
プリン夕一用紙の幅に対応した開口部を有し、開口部はプリン夕一用紙の排出時にも保温性の蓋によりカバーされ外気や外部の水がソフトケースの内部には侵入しない構成を持ったプリン夕一用紙の排出部とを有し、前記ケースの透明の窓部以外の部分は防水性のある素材繊維の布の間に保温性のある中綿を入れた積層構造の材質により構成したことを特徴とする携帯用電子機器のソフトケース。
【請求項４】
請求項１から請求項３において、ケースのケースの透明の窓部以外の部分の防水性のある素材繊維の布の間に入れる保温性のある中綿はナイロン綿である携帯用電子機器のソフトケース。
【請求項５】
請求項１から請求項３において、ケースの柔軟性を持ち透明な保温力のある窓部の材質は塩化ビニールである携帯用電子機器のソフトケース。
【発明の詳細な説明】
【０００１】
【発明の属する技術分野】
本発明は、低温の地域で使用する携帯用電子機器のソフトケースに関するものである。
本発明の携帯用電子機器のソフトケースは、特別の発熱素子を使用せずに機器の保温を行なえるようにすると共に、耐水、耐衝撃性を持たせたものである。
【０００２】
【従来の技術】
近年、電子技術の発展により、現場で生の情報を直ちに入力し処理するための小型携帯用機器が各分野において開発されている。
この携帯用出電子機器は電力、ガス、水道等のメータの検針や自動販売機の商品の補充のデータ処理等にも使用されるようになり、電力等の使用量を検針しそのデータを入力するとともに、その結果を現場でプリントし使用者に渡すようにしている。この携帯用出電子機器の電源には電池が使用されている。
しかしながら、これらの携帯用出電子機器は屋外で使用されるために外気の温度の影響を直接受けるため、その電源に使用されている電池は周囲の温度が低下すると、出力が低下するために携帯用出電子機器が安定に動作しなくなるという欠点がある。
このため、北海道、東北、北陸地方等の寒冷地では、冬場に屋外で携帯用出電子機器を使用した場合には、感熱紙を使用したプリンターの印字品質が低下したり動作が不安定になったり、極端な場合には使用不能になるうという問題があった。
又、携帯用出電子機器は屋外で使用されるために、耐水性や耐衝撃性を持つことが必要である。
【０００３】
従来、この対策として、電池式のヒーターを使用して加熱して機器の温度低下を防止する試みがなされているが、電池式ヒーターではこれ自体の電力の消費が大きく重量も増加するなどで実用には至っていない。
又、特公平７−２１２４号公報には、携帯用出電子機器の保温対策として、電池を使用しない発熱体を使用した技術が開示されている。
この内容は、電池によって作助する携帯用出電子機器を収納するケース本体を、断熱性外側材と防湿性内側材との積層体にて形成し、その積層部に、空気と接触して発熱する発熱体、例えば鉄、アルミニウム等の被酸化性金属粉を主成分としてこれに活性炭、酸化促進材、水等からなる発熱組成物を用いた発熱体の収納部を設け、その収納部の外側材には発熱体から蒸散する湿分がケースの内部に侵入しないように外部に放出するための通気部を設けるようにしてた携帯用出電子機器の加温ケースである。
【０００４】
【発明が解決しようとする課題】
しかしながら、特公平７−２１２４号公報に開示された携帯用出電子機器の加温ケースは、保温のために空気と接触して発熱する発熱体を使用しているために、発熱体の発熱能力が低下する度に発熱体を交換する必要がありるため保温のためにコストと手間がかかる。又、発熱体から発熱時に湿分が蒸散するために、これをケースの内部に侵入しないように外部に放出するための構成を設ける必要があるためにケースの構造が複雑になるという問題がある。
本発明は、携帯用出電子機器の保温のために、電池や空気と接触して発熱する発熱体を使用せずに保温のためにコストと手間がかから無いシンプルな構造で、耐水、耐衝撃性を持った携帯用出電子機器の携帯用出電子機器のソフトケースを実現することにある。
【０００５】
【課題を解決するための手段】
本発明は、上部カバーと下部カバーとの片側面が固着されその固着部を中心にして上部カバーと下部カバーが扉状に開き、携帯用電子機器を収納するケースにおいて、上部カバーは、上部カバーを開かずにキー操作が行なえる柔軟性を持ち透明で保温力のある窓部と、プリン夕一用紙の排出部とを有し、ケースの透明の窓部以外の部分は防水性のある素材繊維の布の間に保温性のある中綿を入れた積層構造の材質を使用した携帯用電子機器のソフトケースを実現したものである。本発明の携帯用出電子機器のソフトケースは、機器の落下などの衝撃に対しても優れた保護特性を持ち、寒冷環境下においても機器を常に安定に動作させることが可能で優れた耐水、耐衝撃性を実現したものである。
【０００６】
【発明の実施の形態】
【実施例】
以下、本発明の携帯用出電子機器のソフトケースについて実施例により説明する。
図１は、本発明の携帯用出電子機器のソフトケースに電子機器を収容した状態の外観を示す図である。又、図２は、本発明の携帯用出電子機器のソフトケースのカバーを開いた状態を示す図である。
図１および図２において、１０は携帯用出電子機器を収容した本発明の携帯用出電子機器のソフトケースである。ソフトケース１０はこれに収納される携帯用電子機器４の外形に応じた形状に形成されている。ソフトケース１０は上部カバー１１と下部カバー１２とにより構成されており、上部カバー１１と下部カバー１２はその片側面１３，１４が固着され、この固着部を中心にして上部カバー１１と下部カバー１２が扉状に開く構造となっている。上部カバー１１と下部カバー１２の片側面の固着部１３，１４以外の側面はファスナーを使用したの開閉機構１５，１６が設けられ、開閉機構１５，１６を開いて携帯機器の出し入れを行ない、ケースの密封を行う。
【０００７】
ソフトケース１０の上部カバー１１の上面には、透明の窓部１７とプリン夕一用紙の排出部１８が設けられている。又、ソフトケース１０の上部カバー１１の内側には、収納する携帯用電子機器４を固定するためのバンド１９が取り付けられている。
上部カバー１１の透明の窓部１７は、ソフトケース１０に収容される携帯用電子機器４のキーボード等の操作部と表示部とをカバーする大きさに設定されている。又、プリン夕一用紙の排出部１８は、プリン夕一用紙の幅に対応した開口部を有し、開口部はプリン夕一用紙の排出にも保温性の蓋によりカバーされ外気や外部の水がソフトケース１０の内部には侵入しない構成になっている。
ソフトケース１０の上部カバー１１の透明の窓部１７には、内部が観察でき、しかも上部カバー１１を開かずにキー操作が行なえる保温力のある透明な柔軟性の塩化ビニールのフイルムが使用される。
ソフトケース１０の下部カバー１２の外側面には携帯用のバンドを掛けるフック２０が設けられている。
【０００８】
図３は、ソフトケース１０の透明の窓部１７以外の部分に使用する材質の構造を示したものである。図３において２１，２２は防水性のある素材繊維の布で、例えばエントラント（登録商標）等である。２３はナイロン中綿である。
ソフトケース１０の透明の窓部１７以外の部分を、図３に示すようなスキーウェア等に使用される防水性のある素材繊維の布２１，２２を表と裏にしてその中に保温性の良いナイロン中綿２３を内材として積層した積層体を使用して形成することにより保温性のある携帯用電子機器のケースが実現出来る。
携帯用電子機器４を寒冷地などで携行する場合には、先ずケース１０の上部カバー１１と下部カバー１２を開き、携帯用電子機器４をケース１０に収納し、
上部カバー１１のバンド１９により固定した後、上部カバー１１と下部カバー１２を閉じファスナーを使用したの開閉機構１５，１６によりケース１０を密封する。
携帯用電子機器４の使用に際してはカバー１０を開く必要はなく、機器の操作は上部カバー１１の窓１７より行なうことが出来る。又、データ類のプリントアウトを行なう場合にもカバー１０を開く必要はなく、プリン夕一用紙の排出部１８よりプリントされた用紙が排出される。
【０００９】
本発明の携帯用電子機器のソフトケースの保温力は、積層体の内材に使用されるナイロン中綿２３の量により変化するが、ナイロン中綿を約１ｃｍの厚さに入れて積層した積層体を使用してケースを作成した場合には、発熱素子を使用しなくても外気の温度を摂氏２５度から摂氏０度までを１５分間の温度勾配で温度を下げたで長時間保持する環境テストにおいても電池電力の減少もなく、又プリンターの印字は発色の不良も無く明瞭に行われた。
又、摂氏０度に長時間保持した後に摂氏２５度まで３０分間の温度勾配で温度を上げる環境テストにおいても、結露等の現象は認められなかった。
耐水特性のテストとして、毎分３〜５ｍｍの降雨の状態の中に１０分間曝す試験を行なったがケース内部への浸水は認められなかった。
【００１０】
衝撃テストとして、携帯用電子機器を本発明のケースに収納して１ｍ２０ｃｍの高さより鉄板の床の上に落下するテストを行なった。この落下テストは携帯用電子機器の各面（６面）の対して行なったが、各テストの落下後、携帯用電子機器の全ての機能が正常に動作することが確認された。
上記のテスト寄り明らかなように、本発明の携帯用電子機器のソフトケースはそのケースの素材に中綿を入れた積層体を使用したために、クッション性が良く、使用中に誤って落としてもケースが衝撃を吸収して内部の機器が破損されることを防ぐことが出来るのでケース本来の機器の保護という目的に対してもより優れた特性を持っている。
【００１１】
又、防水性のある素材繊維の布の特徴として防水性が良いので通気性はないがケースの内側の水分は外気との温度差により放出されるので、窓部が露結したり曇るようなことは無い。又、本発明の携帯用電子機器のソフトケースは、機器の操作にケースの上部カバーを開ける必要が無いので、ケースの防水性により雨や雪の日でも検針作業をスムースに行なうことが出来る。
尚、上記の実施例ではケースの透明の窓部以外の部分に使用する積層構造の材質に防水性のある素材繊維の布を使用した例につて説明したが、積層構造の材質はこれに限られるものではなく、同様の機能を持った編織布、不織布も使用できる。
又、防水性のある素材繊維の布の間に入れる中綿にはナイロン綿を使用した例につて説明したが、中綿はこれに限られるものではなく、ポリエステル、ポリアアミド、ポリプロピレン等の合成繊維を素材とした綿で同様の機能を持ったものであれば使用できる。
【００１２】
【発明の効果】
以上の説明より明らかなように、本発明の携帯用電子機器のソフトケースは、上部カバーと下部カバーとの片側面が固着されその固着部を中心にして上部カバーと下部カバーが扉状に開き、携帯用電子機器を収納するケースにおいて、上部カバーは、上部カバーを開かずにキー操作が行なえる柔軟性を持ち透明で保温力のある窓部と、プリン夕一用紙の排出部とを有し、ケースの透明の窓部以外の部分は防水性のある素材繊維の布の間に保温性のある中綿を入れた積層構造の材質を使用した構成を有するものである。
【００１３】
このため、本発明の携帯用電子機器のソフトケースは、寒冷環境下においても特別の発熱素子を使用すること無く内部に収納された小型携帯用神器を適切な温度に保持することができるので、携帯用電子機器の使用時に電池の出力低下などによる動作不良現象を生ずることがない。又、本発明の携帯用電子機器のソフトケースは、ケース全体がコンパクトで嵩張ることもなく携帯に便利であり、湿分等が内部まで浸入することもなく、しかも使用時の操作も容易であるなど実用上における多くの優れた効果を奏することができる。
【図面の簡単な説明】
【図１】本発明の携帯用出電子機器のソフトケースに電子機器を収容した状態の外観を示す図である。
【図２】本発明の携帯用出電子機器のソフトケースのカバーを開いた状態を示す図である。
【図３】ソフトケース１０の透明の窓部１７以外の部分に使用する材質の構造を示したものである。
【符号の説明】
１０・・・携帯用出電子機器のソフトケース
４・・・ソフトケース１０に収納される携帯用電子機器
１１・・・ソフトケース１０の上部カバー
１２・・・ソフトケース１０の下部カバー
１３、１４・・・上部カバー１１と下部カバー１２の片側面の固着部
１５、１６・・・ファスナーを使用したの開閉機構
１７・・・上部カバー１１の上面の透明の窓部
１８・・・プリン夕一用紙の排出部
１９・・・帯用電子機器４を固定するためのバンド
２０・・・携帯用のバンドを掛けるフック
２１、２２・・・防水性のある素材繊維の布
２３・・・ナイロン中綿
【図１】
0003581792.tif 000002
【図２】
0003581792.tif 000003
【図３】
0003581792.tif 000004